(57)【要約】【課題】苔玉に植えられた草木の植え替えが出来なかった。水やりは、苔玉が入る大きさの水の入った器に一定時間浸けておくという手間と時間のかかる方法だった。苔玉を皿に置くとき、苔玉の下面に水が溜まり蒸れる可能性あり、また下面の苔も潰され痛んでしまった。【解決手段】苔玉の上面に穴を開けたカップを埋め込み、その中に草木を植える構造とする。これにより草木の後植えや植え替えが可能となり上から水を掛ける水やり方法も可能になる。苔玉から支柱を出して苔玉を空中に浮かすことで苔玉の下面に水が滞留せず、蒸れが改善され、苔玉下面の苔も痛まない。【選択図】図１
2013236567.tif 000002
【特許請求の範囲】
【請求項１】
苔玉の上面に一つ以上の穴を開けたカップを埋め込み、そのカップの中に草木を植え付ける事を特徴とした苔玉。
【請求項２】
苔玉の上面に一つ以上の穴を開けたカップを埋め込み、そのカップの中に草木を植え付けることと、苔玉より一本以上の支柱を出しそれにより苔玉を空中に浮かすことを特徴とする苔玉。
【発明の詳細な説明】
【技術分野】
【０００１】
本発明は、苔玉の製造形態の改善に関するものである。
【背景技術】
【０００２】
従来技術における苔玉は、苔玉に植え込むための草木の根を苔玉用の土で丸く囲い、その土の表面を苔で覆うものでした。
【０００３】
そのため、苔玉に植えられた草木を何らかの理由で他の草木に植え替えをしたいと思っても植え替えは困難で、市場の需要が変化した場合などは苔玉自体を初めから作り直すしかありませんでした。
【０００４】
また、植え込まれた草木の根に水やりをしようとした場合、土が苔に覆われているため、上から水を掛けると苔が水を弾いてしまうのでほとんど水が苔玉の中に染み込みません。このように一般的な水やりの方法であるところの上から水を掛けるだけでは草木の根に水を与えられませんでした。
【０００５】
そのため、従来の水やり方法は、苔玉が十分入る大きさの器を用意して、そこに水を満たし、その水の中に苔玉を沈めます。苔玉の中まで十分に水が染みるまで一定時間そのまま放置しておき、苔玉の中に十分に水が染みたところで水から苔玉を取り出すという、手間と時間を必要とする方法を行っていました。
【０００６】
そして、苔玉に水やりをすませた後、皿などの上に置き展示をして鑑賞をします。時間の経過とともに、苔玉に給水された水分は重力により苔玉の下面の部分に集まってきます。そして水分は、皿に染み出して苔玉と皿の接触部分に貯まります。
【０００７】
その事により、苔玉の下面で皿と接触いる部分の苔は圧縮、蒸れ、酸欠、日照不足により痛んでしまいます。また草木の根も蒸れや酸欠などにより根腐れを発生することがありました。
【先行技術文献】
【非特許文献】
【０００８】
【非特許文献１】別冊NHK趣味の園芸  「ミニ盆栽と苔玉」  日本放送出版協会
【発明の概要】
【発明が解決しようとする課題】
【０００９】
解決しようとする問題点は、苔玉を制作した後に草木を植え替えのできない構造であり手間と時間のかかる水やりの方法であり苔玉の下面の痛みや草木の根腐れなどの点である。
【課題を解決するための手段】
【００１０】
本発明は、苔玉を制作した後に草木の植え替えを可能にして、一般的な上から水を掛ける方法での水やりを可能にして、苔玉下面の痛みや根腐れを防止するために、苔玉の上面に穴を開けたカップを埋め込みそのカップの中に草木を植え込む構造とし、またそのようにした苔玉全体を支柱で空中に支える事を主要な特徴とする。
【発明の効果】
【００１１】
苔玉の上部に穴を開けたカップを埋め込み草木をそのカップの内部に植え込む構造にすることにより、任意に草木の植え替えが可能となる。また、苔玉用の土と草木用の土と分けることが出来るためそれぞれに最適な土を使用することが出来る。
【００１２】
穴を開けたカップを埋め込んだだけの苔玉を事前に多数制作しておくことで、市場の需要や季節などに合わせた草木を後で植え込む事が出来るので臨機応変な苔玉制作や出荷が可能となる。
【００１３】
苔玉の上から水を掛けるだけでカップ内の土に水が染み込んでいき、またカップの穴から外側の土にも水が染み苔玉全体に水を与えることができる。
【００１４】
また苔玉全体を支柱で空中に支えことにより下面が痛まず水が滞留することもなく空気の通りもよくなる。
【図面の簡単な説明】
【００１５】
【図１】実施例1における分解図である。
【図２】実施例1における斜視図である。
【図３】実施例1における上面図である。
【図４】実施例1における図３の７−７線に沿う断面図である。
【図５】実施例２における斜視図である。
【図６】実施例２における上面図である。
【図７】実施例２における図６の１２−１２線に沿う断面図である。
【発明を実施するための形態】
【００１６】
苔玉にカップを埋め込み、また支柱で空中に持ち上げることで新しい形態を実現した。
【実施例１】
【００１７】
図１は、苔玉の構造を表す分解図である。カップ２には穴３が開けてある。苔玉４は、穴５の中にカップ２を埋め込み制作する。そのときカップ２の口は苔玉４の上面から覗く。カップ２の中には草木１を草木用の土６と共に植え込む。
【００１８】
図２は、上記の様に作られた実施例１の斜視図である。
【００１９】
図３は、実施例１の上面図である。苔玉４の真ん中にカップ２の口とその中に植えられた草木１と草木用の土６が見える。
【００２０】
図４は、図３の７−７線に沿う断面図である。
【００２１】
図４からも分かるように苔玉用の土８と草木用の土６はカップ２により隔てられている。そのため草木１の植え替えはカップ２の内側だけを取り替える事により簡単に行える。
【００２２】
図３及び図４から分かるように草木用の土６が苔玉４の上面に露出している。そのため水やりは、一般的な上から水を掛ける方法で草木用の土６に直接水を与えられ、水は下に向かって浸透していき草木１の根に水を行き渡らせることができる。
【００２３】
草木用の土６に浸透した水は、カップ２に開けられた穴３から苔玉用の土８の全体に浸透していく。
【００２４】
実施例１の特徴を示す。草木用の土６と苔玉用の土８が分離しているため、おのおの別々の土を使用することができ、草木１と苔玉４それぞれに合った土を使用することで生育に良い効果的がある。またカップ２から草木１と草木用の土６を取り出すことで苔玉４を壊すことなく草木１の植え替えが可能となる。また、苔玉４にカップ２を埋め込んだだけでカップ２の中が空のものを事前に制作しておくことでその時々に合った草木を後から植え付けることが出来る。水やりは、ごく一般的な方法である上から水を掛けるだけでよく、手間を掛けることなく苔玉全体に水を浸透させることができる。
【実施例２】
【００２５】
図５，図６，図７は実施例２の説明図である。前記実施例１の形態と同一構成の部分には同一符号を付して重複する説明を省略する。
【００２６】
図５は、実施例２の斜視図である。苔玉４の内部構成が図１と同等になっているものに対してその下面に支柱１０を埋め込んだ構造となっている。支柱１０の下には全体を自立させるための足１１がある。
【００２７】
図６は実施例２の上面図である。苔玉４の真ん中にカップ２の口とその中に植えられた草木１と草木用の土６が見える。
【００２８】
図７は図６の１２−１２線に沿う断面図である。
【００２９】
図７から分かるように苔玉用の土８と草木用の土６はカップ２により隔てられている。そのため草木１の植え替えはカップ２の内側だけを取り替える事により簡単に行える。
【００３０】
図６及び図７から分かるように草木用の土６が苔玉４の上面に露出している。そのため水やりは、一般的な上から水を掛ける方法で草木用の土６に直接水を与えられ、水は下に向かって浸透していき草木１の根に水を行き渡らせることができる。
【００３１】
草木用の土６に浸透した水は、カップ２に開けられた穴３から苔玉用の土８の全体に浸透していく。
【００３２】
苔玉４全体に浸透した水は、苔９を通して空気中に蒸発してゆく。また支柱１０で苔玉４が空中に浮いているため過剰に与えられた水は支柱１０を伝って苔玉４の外に排出されるため苔玉４の中に水が滞留することはない。
【００３３】
実施例２の特徴を示す。まず、実施例２は実施例１と同等の特徴を有する。それ以外に、苔玉４の下面にある支柱１０により苔玉４は空中に浮いた状態であるので過剰な水は外部に排出され滞留しない。苔玉４全体が空気に触れていることにより、苔玉４の内部に空気が十分に供給され、蒸れや根腐りを防止する効果がある。また、苔玉４の下面の苔も潰されること無く美しく保つことができる。
【産業上の利用可能性】
【００３４】
カップを埋め込んだだけでその中に何も植えていない苔玉と苔玉に植え付けるための草木を別々に栽培しておき市場の動向や季節などの要因で変化する需要に合わせて苔玉に植え付ける草木を素早く変えることが出来き、市場にあった商品をいち早く出荷できる。
【符号の説明】
【００３５】
１  草木
２  カップ
３  カップ２に開けた穴
４  苔玉
５  苔玉４にカップ２が入る穴
６  草木用の土
７  断面図用補助線
８  苔玉用の土
９  苔
１０  支柱
１１  足
１２  断面図用補助線
【図１】
2013236567.tif 000003
【図２】
2013236567.tif 000004
【図３】
2013236567.tif 000005
【図４】
2013236567.tif 000006
【図５】
2013236567.tif 000007
【図６】
2013236567.tif 000008
【図７】
2013236567.tif 000009